(57)【特許請求の範囲】
【請求項１】
幅方向一方及び幅方向他方に冊子の頁を搬送方向に間隔を置いて複数有した連続紙を、幅方向一方の一方の片側用紙と幅方向他方の他方の片側用紙とに切断する工程と、
前記一方の片側用紙と他方の片側用紙を重ね、いずれかの冊子の頁の幅方向一側部を捨て糊で貼り合わせ、残りの冊子の頁の幅方向他側部をセット用糊で貼り合わせて２枚セット連続紙とする工程と、
前記２枚セット連続紙を各冊子の頁ごとに切断して分断シートとする工程と、
前記各分断シートを重ね合わせ、幅方向他側部を集積用糊で貼り合わせ、幅方向他側部で貼り合わせた部分が偶数頁と奇数頁とを有する冊子状物とする工程と、
前記冊子状物の捨て糊で貼り合わせた部分を裁断して複数の冊子とする工程を備えた冊子作成方法。
【請求項２】
幅方向一方及び幅方向他方に冊子の頁を搬送方向に間隔を置いて複数有した連続紙を、幅方向一方の一方の片側用紙と幅方向他方の他方の片側用紙とに切断する工程と、
前記一方の片側用紙と他方の片側用紙を重ね、いずれかの冊子の頁の幅方向一側部を捨て糊で貼り合わせ、残りの冊子の頁の幅方向他側部をセット用糊で貼り合わせて２枚セット連続紙とする工程と、
前記２枚セット連続紙を各冊子の頁ごとに切断して分断シートとする工程と、
前記各分断シートを重ね合わせて奇数枚の分断シートごとに、その幅方向他側部を集積用糊で貼り合わせて分断シート群とし、かつ各分断シート群を重ね合わせて冊子状物とする工程と、
前記冊子状物の幅方向一側部を裁断して捨て糊で貼り合わせた部分を不連続として複数の冊子とする工程を備えた冊子作成方法。
【請求項３】
給紙される連続紙を一方の片側用紙と他方の片側用紙に切断する第１切断部と、切断した一方の片側用紙を他方の片側用紙の下方に幅寄せする幅寄せ部と、糊付部と、２枚セット連続紙を切断して分断シートとする第２切断部と、複数の分断シートを重ね合わせて糊付けして冊子状物とする集積部と、冊子状物の不要な部分を裁断して複数の冊子とする断裁部を備え、
前記糊付部は、一方の片側用紙の幅方向他側部に糊付けする２枚セット用糊付部と、一方の片側用紙の幅方向一側部に捨て糊を糊付けする捨て糊用糊付部と、他方の片側用紙の幅方向他側部に集積用糊を糊付けする集積用糊付部を有し、
前記断裁部は、冊子状物の捨て糊で貼り合わせた部分を裁断するようにした冊子作成装置。
【発明の詳細な説明】
【技術分野】
【０００１】
本発明は、連続紙から冊子を作成する方法、及び装置に関する。
【背景技術】
【０００２】
従来、連続紙から冊子を作成する方法が種々提案されている。
例えば、特許文献１には、連続紙に糊を塗布すると共に、切断して冊子長さの用紙とし、その用紙を搬送して積層することで糊により付着して所定枚数の冊子とする冊子作成方法が開示されている。
【０００３】
特許文献２には、連続紙を幅方向中央で一方の片側紙と他方の片側紙に切断し、一方の片側用紙の綴じ側に糊を塗布して他方の片側紙と重ねて重ね合わせシートとし、この重ね合わせシートを冊子長さに切断して分断シートとし、その分断シートを搬送することで冊子とする冊子作成方法が開示されている。
【０００４】
特許文献３には、連続紙を幅方向中央で２列に切断し、搬送方向の位置をずらして上下に重ね合わせ、上下の用紙を交互に順次切断し、糊を塗布後に積層して奇数頁、偶数頁又はこれらが混在するランダム頁数の冊子作成方法が開示されている。
【先行技術文献】
【特許文献】
【０００５】
【特許文献１】特開２００２−８６９６６号公報
【特許文献２】特開２０１１−１１０８１４号公報
【特許文献３】特開２００６−３２１１４８号公報
【発明の概要】
【発明が解決しようとする課題】
【０００６】
特許文献１に開示された冊子作成方法は、連続紙を切断した用紙を１枚ごとに搬送するために搬送する用紙の腰が弱く、位置ずれが発生し易く複数の用紙を積層した冊子作成時の揃いが悪くなる問題、搬送中にジャム（紙詰り）が発生し易い問題があった。
【０００７】
特許文献２に開示された冊子作成方法は、一方の片側紙と他方の片側紙を重ね合わせて切断した分断シートを搬送するので、搬送する用紙の腰が強く、位置ずれの発生が少ないから積層した冊子作成時の揃いが向上し、搬送中にジャムの発送が少ないが、重ね合わせた２枚の用紙を基準として冊子を作成するので、作成した冊子は偶数頁となるため、奇数頁の冊子を作成する場合には、本来必要ではない頁を設定しなければならず、用紙の無駄が発生するという問題があった。
この本来必要ではない頁は、メモ用紙などとして利用しているが、冊子としては不要であり、用紙の無駄となる。
【０００８】
特許文献３に開示された冊子作成方法は、連続紙を切断した用紙を１枚ごとに搬送するために搬送する用紙の腰が弱く、位置ずれが発生し易く複数の用紙を積層した冊子作成時の揃いが悪くなる問題、搬送中にジャムが発生し易い問題があった。
【０００９】
本発明は、前述の課題に鑑みなされたものであり、その目的は、冊子作成時の揃いが良く、搬送中にジャムの発生が少なく、奇数頁の冊子を用紙の無駄なく作成できるようにした冊子作成方法及び冊子作成装置とすることである。
【課題を解決するための手段】
【００１０】
本発明の冊子作成方法は、幅方向一方及び幅方向他方に冊子の頁を搬送方向に間隔を置いて複数有した連続紙を、幅方向一方の一方の片側用紙と幅方向他方の他方の片側用紙とに切断する工程と、
前記一方の片側用紙と他方の片側用紙を重ね、いずれかの冊子の頁の幅方向一側部を捨て糊で貼り合わせ、残りの冊子の頁の幅方向他側部をセット用糊で貼り合わせて２枚セット連続紙とする工程と、
前記２枚セット連続紙を各冊子の頁ごとに切断して分断シートとする工程と、
前記各分断シートを重ね合わせ、幅方向他側部を集積用糊で貼り合わせ、幅方向他側部で貼り合わせた部分が偶数頁と奇数頁とを有する冊子状物とする工程と、
前記冊子状物の捨て糊で貼り合わせた部分を裁断して複数の冊子とする工程を備えた冊子作成方法である
【００１１】
本発明の冊子作成方法は、幅方向一方及び幅方向他方に冊子の頁を搬送方向に間隔を置いて複数有した連続紙を、幅方向一方の一方の片側用紙と幅方向他方の他方の片側用紙とに切断する工程と、
前記一方の片側用紙と他方の片側用紙を重ね、いずれかの冊子の頁の幅方向一側部を捨て糊で貼り合わせ、残りの冊子の頁の幅方向他側部をセット用糊で貼り合わせて２枚セット連続紙とする工程と、
前記２枚セット連続紙を各冊子の頁ごとに切断して分断シートとする工程と、
前記各分断シートを重ね合わせて奇数枚の分断シートごとに、その幅方向他側部を集積用糊で貼り合わせて分断シート群とし、かつ各分断シート群を重ね合わせて冊子状物とする工程と、
前記冊子状物の幅方向一側部を裁断して捨て糊で貼り合わせた部分を不連続として複数の冊子とする工程を備えた冊子作成方法とすることができる。
【００１２】
本発明の冊子作成装置は、給紙される連続紙を一方の片側用紙と他方の片側用紙に切断する第１切断部と、切断した一方の片側用紙を他方の片側用紙の下方に幅寄せする幅寄せ部と、糊付部と、２枚セット連続紙を切断して分断シートとする第２切断部と、複数の分断シートを重ね合わせて糊付けして冊子状物とする集積部と、冊子状物の不要な部分を裁断して複数の冊子とする断裁部を備え、
前記糊付部は、一方の片側用紙の幅方向他側部に糊付けする２枚セット用糊付部と、一方の片側用紙の幅方向一側部に捨て糊を糊付けする捨て糊用糊付部と、他方の片側用紙の幅方向他側部に集積用糊を糊付けする集積用糊付部を有し、
前記断裁部は、冊子状物の捨て糊で貼り合わせた部分を裁断するようにした冊子作成装置である
【発明の効果】
【００１３】
請求項１及び請求項２に係る発明によれば、一方の片側用紙と他方の片側用紙を貼り合わせた２枚セット連続紙を分断シートに切断し、その分断シートを搬送するので、搬送する分断シートの腰が強く、位置ずれの発生が少ないから冊子作成時の揃いが良く、搬送中にジャムの発生が少ない。
また、用紙の無駄なく奇数頁の冊子を作成できる。
請求項１に係る発明によれば、奇数頁の冊子と偶数頁の冊子を混在して作成できる。
【００１４】
請求項２に係る発明によれば奇数頁の冊子を作成できる。
【図面の簡単な説明】
【００１５】
【図１】本発明の冊子作成装置の概略正面図である。
【図２】本発明の冊子作成装置の概略平面図である。
【図３】連続紙の平面図である。
【図４】一方の片側用紙の平面図である。
【図５】他方の片側用紙の平面図である。
【図６】他方の片側用紙の下に一方の片側用紙を幅寄せした状態の斜視図である。
【図７】２枚セット連続紙の平面図である。
【図８】第１〜第５分断シートの斜視図である。
【図９】冊子状物の貼り合わせ状態の説明図である。
【図１０】冊子状物の裁断動作説明図である。
【図１１】３つの冊子の貼り合わせ状態の説明図である。
【図１２】奇数頁の冊子を作成する場合の冊子状物の貼り合わせ説明図である。
【発明を実施するための形態】
【００１６】
本発明の冊子作成装置の概略を図１及び図２に基づいて説明する。図１は概略正面図、図２は概略平面図である。
【００１７】
冊子作成装置は、給紙部１、第１切断部２、幅寄せ部３、糊付部４、第２切断部５、第１搬送部６、第２搬送部７、第１積層部８、第２積層部９、冊子搬送部１０、断裁部１１、完成冊子排出部１２を備えている。
なお、図２には第１搬送部６、第２搬送部７等の図示を省略してある。
【００１８】
給紙部１は連続紙２０を第１切断部２に向けて給紙する。
連続紙２０には、図３に示すように搬送方向と直交する方向である幅方向の中央を境として一側と他側に一側印刷部２１、他側印刷部２２が搬送方向（天地方向）に間隔を置いてあらかじめ印刷され、各一側印刷部２１、他側印刷部２２の天地長さは同一で、各印刷部が冊子の頁となる。
【００１９】
各一側印刷部２１、他側印刷部２２の幅は連続紙２０の幅の半分よりも小さく、連続紙２０には一側印刷部２１と他側印刷部２２の間に中間余白部２３、一側印刷部２１よりも一側寄りに一側余白部２４、他側印刷部２２よりも他側寄りに他側余白部２５を有している。
【００２０】
一側余白部２４には一側印刷部２１の印刷情報、冊子の頁情報などを認識する一側基本バーコード２６が設けてある。
中間余白部２３には他側印刷部２２の印刷情報、冊子の頁情報などを認識する他側基本バーコード２７が設けてある。
搬送方向に隣接した印刷部間にカットマーク２８が設けてある。
一側余白部２４には第１の糊マーク２９ａが設けられ、他側余白部２５には第２の糊マーク２９ｂが設けてある。
【００２１】
給紙部１と第１切断部２との間の走行路には一側基本バーコード２６、第１の糊マーク２９ａを読みとる一側マークセンサ１３と、他側基本バーコード２７、第２の糊マーク２９ｂを読みとる他側マークセンサ１４が設けてある。
【００２２】
第１切断部２は、中央のスリッタで連続紙２０を幅方向中央部（前述の中間余白部２３）で搬送方向に連続して切断することで、図４に示す幅方向一方側の一方の片側用紙２０ａと図５に示す幅方向他方側の他方の片側用紙２０ｂとする。
一方の片側用紙２０ａに一側用印刷部２１が存在し、他方の片側用紙２０ｂに他側印刷部２２が存在する。
第１切断部２は、センタースリッタで一方の片側用紙２０ａの他側部を一側印刷部２１の他側縁２１ａから切り落とし、その一方の片側用紙２０ａの他側縁が冊子の頁の他側縁となるようにする（図４参照）。
これと同時に、他のサイドスリッタで他方の片側用紙２０ｂの他側部を他側印刷部２２の他側縁２２ａから切り落とし、その他方の片側用紙２０ｂの他側縁が冊子の頁の他側縁となるようにする（図５参照）。
【００２３】
幅寄せ部３は第１切断部２の下流側に設けてある。この幅寄せ部３は２本のターンバーを備え、図６に示すように、一方の片側用紙２０ａを幅方向に移動して他方の片側用紙２０ｂの下方へ幅寄せする。
幅寄せした一方の片側用紙２０ａ及び他方の片側用紙２０ｂは、糊付部４で糊付けした後に、第２の切断部５よりも上流側に設けた重ね合わせ部１３に向けてそれぞれ搬送される。
【００２４】
糊付部４は、幅寄せ部３と重ね合わせ部１３との間の一方の片側用紙２０ａの走行路に、幅方向に間隔を置いて設けた２枚セット用糊付部、例えば２枚セット用ノズル４０、捨て糊用糊付部、例えば捨て糊用ノズル４１及び、他方の片側用紙２０ｂの走行路に設けた集積用糊付部、例えば集積用ノズル４２を有している。
【００２５】
２枚セット用ノズル４０は、図４に仮想線で示すように、一方の片側用紙２０ａの第１印刷部２１の幅方向他側部と対向し、その部分にセット用糊４０ａを噴射して塗布し糊付けする。
捨て糊用ノズル４１は、図４に仮想線で示すように、一方の片側用紙２０ａの第１印刷部２１よりも幅方向一方寄りの一側余白部２４に対向し、一側余白部２４に捨て糊４１ａを噴射して塗布し糊付けする。
集積用ノズル４２は、図５に仮想線で示すように他方の片側用紙２０ｂの他側印刷部２２の幅方向他側寄りと対向し、その部分に集積用糊４２ａを噴射して塗布し糊付けする。
【００２６】
重ね合わせ部１３は、図６及び図7に示すように一方の片側用紙２０ａの上に他方の片側用紙２０ｂを重ね合わせ、セット用糊４０ａ、捨て糊４１ａで貼り合わせ、２枚セット連続紙５０とする。
【００２７】
第２切断部５は、２枚セット連続紙５０を図７に示すように、所定の天地長さに切断し、所定の天地長さの一方の片側用紙２０ａと他方の片側用紙２０ｂを貼り合わせた分断シート６０とする。
例えば、カットマーク２８の位置で切断し、第１〜第５分断シート６１〜６５とする。
【００２８】
図８に示すように第１・第３・第５分断シート６１，６３，６５はセット用糊４０ａで幅方向他方側が貼り合わせてある。第２・第４分断シート６２，６４は捨て糊４１ａで幅方向一方側を貼り合わせてある。
【００２９】
第１搬送部６、第２搬送部７は搬送コンベアで、２枚の片側用紙を貼り合わせた分断シート６０を、所定の間隔をあけて第１積層部８、第２積層部９に搬送する。
このようであるから、分断シート６０は腰が強く、第１・第２搬送部６，７で第１・第２積層部８，９に搬送するときに位置ずれが少なく、第１・第２積層部８，９で冊子作成するときの揃いが良く、しかもジャムの発生が少ない。
【００３０】
第１積層部８、第２積層部９は、搬送されてくる分断シート６０を１枚ずつ受ける羽根車８０，９０と、この羽根車８０，９０にて受けられた分断シート６０を順次集積する枠８１，９１と、この枠８１，９１の底板を構成するベルトコンベア８２，９２とを備え、複数の分断シート６０を積層して集積用糊４２ａで貼り合わせて図９に示す冊子状物７０とし、その冊子状物７０をベルトコンベア８２，９２で冊子搬送部１０に交互に搬送する。
【００３１】
冊子搬送部１０は冊子状物７０を断裁部１１に搬送する。
断裁部１１は図１０に示すように、冊子状物７０の幅方向一側部分７０ａ（分断シート６０の捨て糊で貼り合わせた部分）と、天地方向の両側部分７０ｂの三方を裁断線ａ，ｂ，ｃに沿って一側印刷部２１、他側印刷部２２の大きさに合わせて裁断し、複数の分断シート６０の幅方向他側部がセット用糊４０ａ、集積用糊４２ａで貼り合わされ、所定の大きさの複数の頁が貼り合わされた冊子８０とする。
【００３２】
完成冊子排出部１２は、断裁部１１で三方が切断された冊子８０を排出する。
【００３３】
このようであるから、奇数頁の冊子と偶数頁の冊子を作成できると共に、用紙の無駄が生じることがない。
【００３４】
次に、奇数頁（３頁）の冊子Ａと、偶数頁（４頁）の冊子Ｂと、奇数頁（３頁）の冊子Ｃを連続して作成する方法を説明する。
図３に示すように、連続紙２０の一側印刷部２１を搬送方向上流側から順次、冊子Ａの第１頁、冊子Ａの第３頁、冊子Ｂの第２頁、冊子Ｂの第４頁、冊子Ｃの第２頁とし、１つ置きの一側印刷部２１の一側余白部２４に第１糊付マーク２９ａを設け、最下流側の他側印刷部２２以外の他側印刷部２２の他側余白部２５に第２糊付マーク２９ｂを設ける。
連続紙２０の他側印刷部２２を搬送方向上流側から順次、冊子Ａの第２頁、冊子Ｂの第１頁、冊子Ｂの第３頁、冊子Ｃの第１頁、冊子Ｃの第３頁とする。
なお、一側印刷部２１、他側印刷部２２の表面だけではなく、裏面にも印刷しても良い。
【００３５】
第１切断部２で連続紙２０を切断して一方の片側用紙２０ａ、他方の片側用紙２０ｂとする。
一方の片側用紙２０ａの冊子Ａの第１頁、冊子Ｂの第２頁、冊子Ｃの第２頁における幅方向他側部にセット用糊４０ａを糊付けすると共に、冊子Ａの第３頁、冊子Ｂの第４頁における一側余白部２４に捨て糊４１aを糊付けする。
この糊付け動作は、第１マークセンサ１３の第１糊付マーク２９ａの検出信号に基づいて２枚セット用ノズル４０を設定時間だけ噴出動作してセット用糊４０ａを糊付けし、設定時間後に２枚セット用ノズル４０を停止し、捨て糊用ノズル４１を設定時間だけ噴出動作して捨て糊４１ａを糊付けする。
つまり、第１マークセンサ１３の各マークの検出に基づき２枚セット用ノズル４０、捨て糊用ノズル４１の噴出動作タイミングがあらかじめ設定され、その噴出動作タイミングである各ノズル４０，４１を動作する。
【００３６】
他方の片側用紙２０ｂの最下流側の冊子Ｃの第３頁以外の冊子Ｃの第１頁、冊子Ｂの第３頁、冊子Ｂの第１頁、冊子Ａの第２頁の幅方向他側部に集積用糊４２ａを糊付けする。
この糊付け動作は、第２マークセンサ１４の第２糊付マーク２９ｂ検出信号に基づいて集積用ノズル４２を噴出動作して行う。
【００３７】
糊付けした一方の片側用紙２０ａと他方の片側用紙２０ｂは重ね合わせ部１３で重ね合わせて貼り合わされ、２枚セット連続紙５０となる。
この２枚セット連続紙５０は次のように貼り合わされている。
【００３８】
一方の片側用紙２０ａと他方の片側用紙２０ｂは図６、図７に示すように、最も上流側である冊子Ａの第１頁と冊子Ａの第２頁の幅方向他側部がセット用糊４０ａで貼り合わされる。
冊子Ａの第３頁と冊子Ｂの第１頁の幅方向一側部（余白部）が捨て糊４１ａで貼り合わされる。
冊子Ｂの第２頁と冊子Ｂの第３頁の幅方向他側部がセット用糊４０ａで貼り合わされる。
冊子Ｂの第４頁と冊子Ｃの第１頁の幅方向一側部（余白部）が捨て糊４１ａで貼り合わされる。
冊子Ｃの第２頁と冊子Ｃの第３頁の幅方向他側部がセット用糊４０ａで貼り合わされる。
【００３９】
つまり、２枚セット連続紙５０は、冊子の頁となる部分の幅方向一側部と幅方向他側部が搬送方向に交互に貼り合わされている。
【００４０】
２枚セット連続紙５０は第２切断部５で搬送方向下流側から上流側に向けて第１分断シート６１、第２分断シート６２、第３分断シート６３、第４分断シート６４、第５分断シート６５に切断される。
【００４１】
図８に示すように、第１分断シート６１と第３分断シート６３と第５分断シート６５は幅方向一側部が貼り合わされ、幅方向他側部が不連続な幅方向一側方に向かうＶ字形状で、第２分断シート６２と第４分断シート６４は幅方向一側部が不連続で幅方向他側部が貼り合わされた幅方向他側方に向かうＶ字形状である。
【００４２】
第１〜第５分断シート６１〜６５は第１搬送部６で第１積層部８に向けて間隔をあけて搬送され、第１積層部８で積層されて冊子状物７０となる。
次の第１〜第５分断シート６１〜６５は第２搬送部７で第２積層部９に向けて間隔をあけて搬送され、第２積層部９で積層されて冊子状物７０となる。
つまり、連続紙２０には図３に示す５つの一側印刷部２１、他側印刷部２２が連続して印刷され、第１〜第５分断シート６１〜６５が順次連続して作成されるので、前述のように第１積層部８と第２積層部９とに交互に搬送するようにしてある。
例えば、第１搬送部６、第２搬送部７の入口には切換手段、例えば切換用爪１４が設けてあり、この切換用爪１４を揺動することで、第１〜第５分断シート６１〜６５を第１搬送部６又は第２搬送部７に搬送するかを切り換えできるようにしてある。
【００４３】
第１〜第５分断シート６１〜６５を積層して冊子状物７０とする動作を、図８及び図９を参照して説明する。
冊子Ｃの第２頁が下で冊子Ｃの第３頁が上として搬送された第１分断シート６１は羽根車８０（９０）の回転により矢印ｄで示すように上下反転して冊子Ｃの第３頁が下で冊子Ｃの第２頁が上としてベルトコンベア８２（９２）の上に載置される。
【００４４】
次に第２分断シート６２が上下反転して冊子Ｃの第１頁が第１分断シート６１の冊子Ｃの第２頁の上に重なるようにして載置され、第１分断シート６１の冊子Ｃの第２頁の幅方向他側部と第２分断シート６２の冊子Ｃの第１頁の幅方向他側部が集積用糊４２ａで貼着する。
【００４５】
次に第３分断シート６３が上下反転して第２分断シート６２上に重なり、第２分断シート６２の冊子Ｂの第４頁の幅方向他側部と第３分断シート６３の冊子Ｂの第３頁の幅方向他側部が集積用糊４２ａで貼着する。
【００４６】
さらに、第４分断シート６４が上下反転して第３分断シート６３の上に重なり、第３分断シート６３の冊子Ｂの第２頁の幅方向他側部と第４分断シート６４の冊子Ｂの第１頁の幅方向他側部が集積用糊４２ａで貼着する。
【００４７】
最後に、第５分断シート６５が上下反転して第４分断シート６４の上に重なり、第４分断シート６４の冊子Ａの第３頁の幅方向他側部と第５分断シート６５の冊子Ａの第２頁の幅方向他側部が集積用糊４２ａで貼着する。
【００４８】
これにより、冊子Ａと冊子Ｂと冊子Ｃが重ね合わされた冊子状物７０が作成される。
【００４９】
この実施の形態では、分断シートを上下反転して重ね合わせるようにしたので、分断シートの上面（他方の片側用紙２０ｂの上面）に集積用糊４２ａを糊付けすることができ、その糊付け作業がやり易いし、分断シート及び他方の片側用紙２０ｂを搬送する際に集積用糊４２ａがたれ落ちたりすることがない。
【００５０】
冊子状物７０はベルトコンベア８２（９２）及び冊子搬送部１０で断裁部１１まで搬送される。
断裁部１１は、冊子状物７０の三方を切断することで冊子８０とする。
冊子状物７０は、その幅方向一側部分７０ａが図９に一点鎖線で示す裁断線ａで裁断されるので、第２分断シート６２、第４分断シート６４の捨て糊４１ａで貼り合わせた部分が切り離しされ、第２分断シート６２の冊子Ｃの第１頁と冊子Ｂの第４頁が不連続となると共に、第４分断シート６４の冊子Ｂの第１頁と冊子Ａの第３頁が不連続となる。
【００５１】
これにより、冊子８０は、図１１（ａ）に示すように３枚の用紙が貼り合わされた冊子Ａと、図１１（ｂ）に示すように４枚の用紙が貼り合わされた冊子Ｂと、図１１（ｃ）に示すように３枚の用紙が貼り合わされた冊子Ｃを作成することができる。
【００５２】
このようであるから、奇数頁の冊子と偶数頁の冊子が混在するランダム頁数の冊子が可能で、無駄な用紙が発生することもない。
【００５３】
奇数頁の冊子のみを作成する場合には、図１２に示すように、第１分断シート６１と第２分断シート６２と第３分断シート６３を前述のように貼り合わせた３つの分断シート群６０ａを順次重ね合わせた冊子状物７０とし、幅方向一側部で裁断線ａに沿って裁断するようにできる。
【００５４】
偶数頁の冊子のみを作成する場合には、一方の片側用紙と他方の片側用紙の幅方向他側部をセット用糊で貼り合わせた２枚セット連続紙とし、その２枚セット連続紙を天地方向い長さで切断して複数の分断シートを作成し、その複数の分断シートを重ね合わせた幅方向他側部を集積用糊で貼り合わせれば良い。
【００５５】
以上の説明では、奇数頁の冊子の枚数を３枚、偶数頁の冊子の枚数を４枚としたが、これに限ることはなく、任意の枚数とすることができる。
以上の説明では、冊子状物７０の三方を裁断したが、捨て糊４１ａで貼り合わせた部分のみを裁断して分離するようにしても良い。
【符号の説明】
【００５６】
１…給紙部、２…第１切断部、３…幅寄せ部、４…糊付部、５…第２切断部、６…第１搬送部、７…第２搬送部、８…第１積層部、９…第２積層部、１０…冊子搬送部、１１…断裁部、２０…連続紙、２０ａ…一方の片側用紙、２０ｂ…他方の片側用紙、５０…２枚セット連続紙、６０…分断シート、７０…冊子状物、８０冊子。
【図１】
0005991758.tif 000002
【図２】
0005991758.tif 000003
【図３】
0005991758.tif 000004
【図４】
0005991758.tif 000005
【図５】
0005991758.tif 000006
【図６】
0005991758.tif 000007
【図７】
0005991758.tif 000008
【図８】
0005991758.tif 000009
【図９】
0005991758.tif 000010
【図１０】
0005991758.tif 000011
【図１１】
0005991758.tif 000012
【図１２】
0005991758.tif 000013